(57)【特許請求の範囲】
【請求項１】
補足デバイス（３４）であって：
使用時に補足デバイス（３４）を注射デバイス（１０）に取り付けるように構成されたコネクタ（３７）と；
センサ（６０）に当たる光の強度に依存するセンサ出力を生成するように構成され、使用時に注射デバイス（１０）の表面領域（５７）に向けられた視野を有し、表面領域（５７）が補足デバイス（３４）の外部に位置する、センサ（６０）と；
使用時に補足デバイス（３４）から表面領域（５７）上へ向けることができる照明を生成するように構成された複数の光源（５８）であって、その複数の光源の各光源は、異なる波長の光を放出するように構成される複数の光源と；      
使用時に視野全体が表面領域（５７）に向けられるようにセンサ（６０）の視野を制限するように構成されたシールド（６２）と；
複数の光源の各光源に対する較正された露出時間を蓄積するメモリーと、ここで、補足デバイスが、もし表面領域が中間色である場合、補足デバイスが異なる波長の光を検出したことに応答して、センサにより生成されるそれぞれの信号が実質的に類似するように較正され、
複数の光源（５８）の各光源に対して表面領域をそれぞれ較正された露出時間に対する光で照明し、そして複数の光源（５８）からの照明が表面領域（５７）から反射されるときに生成されるセンサ出力を使用して注射デバイス（１０）の特性を決定するように構成されたプロセッサ（４０）と
を含む前記補足デバイス。
【請求項２】
センサ（６０）の視野内にレンズが設けられない、請求項１に記載の補足デバイス（３４）。
【請求項３】
センサ（６０）の視野内に屈折力を有する構成要素が設けられない、請求項１に記載の補足デバイス（３４）。
【請求項４】
センサ（６０）の視野内のすべての透明の構成要素は、ゼロの屈折力を有する、請求項
１に記載の補足デバイス（３４）。
【請求項５】
シールド（６２）は、光源（５８）とセンサ（６０）との間に位置する、請求項１〜４のいずれか１項に記載の補足デバイス（３４）。
【請求項６】
シールド（６２）によって画成される開口部（６５）が、センサ（６０）の反対側に位置し、開口部（６５）は、センサ（６０）の視野を制約または制限するように構成される、請求項１〜５のいずれか１項に記載の補足デバイス（３４）。
【請求項７】
開口部（６５）は、センサ（６０）の視野の中心と実質的に心合わせされた中心を有する、請求項６に記載の補足デバイス（３４）。
【請求項８】
シールド（６２）は、開口部（６５）を画成する部材（６４、６４ｅ、６４ｆ）を含む、請求項６または７に記載の補足デバイス（３４）。
【請求項９】
部材（６４）は、実質的に切頭体状であり、開口部（６５）は、該切頭体のピークに形成される、請求項８に記載の補足デバイス（３４）。
【請求項１０】
開口部（６５）は、シールド（６２）の２つの側壁（６４ｅ、６４ｆ）によって画成される、請求項６〜８のいずれか１項に記載の補足デバイス（３４）。
【請求項１１】
光源（５８）は、シールド（６２）の周りに配置された複数のＬＥＤ（５８ａ、５８ｂ、５８ｃ）を含む、請求項１〜１０のいずれか１項に記載の補足デバイス（３４）。
【請求項１２】
光源（５８）は、互いに隣接して実質的に直線に配置された複数のＬＥＤ（５８ａ、５８ｂ、５８ｃ）を含む、請求項１〜１０のいずれか１項に記載の補足デバイス（３４）。
【請求項１３】
前記複数のＬＥＤ内のＬＥＤ（５８ａ、５８ｂ、５８ｃ）は各々、異なる波長の光を放出するように構成される、請求項１１または１２に記載の補足デバイス（３４）。
【請求項１４】
プロセッサ（４０）は、ＬＥＤ（５８ａ、５８ｂ、５８ｃ）の各々にそれぞれの露出時間にわたって光を放出させるように構成される、請求項１１〜１３のいずれか１項に記載の補足デバイス（３４）。
【請求項１５】
複数のＬＥＤ（５８ａ、５８ｂ、５８ｃ）は、それぞれの波長の光を順次放出するように、プロセッサ（４０）によって制御される、請求項１４に記載の補足デバイス（３４）。
【請求項１６】
補足デバイス（３４）は、使用時に注射デバイス（１０）から排出された薬剤の用量に関する情報を記録するように構成される、請求項１〜１５のいずれか１項に記載の補足デバイス（３４）。
【請求項１７】
補足デバイス（３４）が使用の際に注射デバイス（１０）に取り付けられるとき、補足デバイス（３４）は注射デバイス（１０）の投薬量窓（２８）を塞ぐ、請求項１〜１６のいずれか１項に記載の補足デバイス（３４）。
【請求項１８】
補足デバイス（３４）は、投薬量窓（２８）内に表示されたものを示す情報を集める少なくとも１つの光センサ（４６）をさらに収容する、請求項１７に記載の補足デバイス（３４）。
【発明の詳細な説明】
【技術分野】
【０００１】
本発明の態様は、注射デバイスとともに使用するための補足デバイス（ｓｕｐｐｌｅｍｅｎｔａｌ  ｄｅｖｉｃｅ）に関し、詳細には、それだけに限らないが、インスリンなどの薬剤を注射するために使用される注射デバイスとともに使用するための補足デバイスに関する。
【背景技術】
【０００２】
薬剤の注射による定期的な治療を必要とする様々な疾病が存在する。そのような注射は、医療従事者または患者自身によって実行することができる。一例として、１型および２型の糖尿病は、１日１回または数回のインスリン用量の注射によって、患者自身によって治療することができる。投与された用量に関する情報を記録するために、インスリン注射デバイスに補足デバイスを連結することが知られている。補足デバイスを使用して、インスリン用量が投与された様々な時間および各用量で投与されたインスリンの量に関する情報を記録することができる。
【先行技術文献】
【特許文献】
【０００３】
【特許文献１】ＷＯ２０１１／１１７２１２
【特許文献２】米国特許出願第２０１１／０２３８０１７号
【発明の概要】
【発明が解決しようとする課題】
【０００４】
しかし、患者が使用しているインスリンのタイプの記録を取っていないとき、またより深刻な場合には、患者が誤ったタイプのインスリンを使用したときは、問題が生じることがある。本発明の態様は、上記に対処する。
【０００５】
従来技術では、たとえば特許文献１および特許文献２に、色検出が開示されている。
【課題を解決するための手段】
【０００６】
本発明の態様によれば、補足デバイスであって：
使用時に補足デバイスを注射デバイスに取り付けるように構成されたコネクタと；
センサに当たる光の強度に依存するセンサ出力を生成するように構成され、使用時に注射デバイスの表面領域に向けられた視野を有し、表面領域が補足デバイスの外部に位置する、センサと；
使用時に補足デバイスから表面領域上へ向けることができる照明を生成するように構成された光源と；
使用時に視野全体が表面領域に向けられるようにセンサの視野を制限するように構成されたシールドと；
光源からの照明が表面領域から反射されるときに生成されるセンサ出力を使用して注射デバイスの特性を決定するように構成されたプロセッサと
を含む補足デバイスが提供される。
【０００７】
これにより、上記の態様に記載のように注射デバイスの表面領域から反射されなかった光は、センサによって生成される信号に影響することができないため、補足デバイスの信頼性が改善される。したがって、使用時に、注射デバイスの表面領域から反射された光のみが、センサによって生成される信号に影響することができる。これは、使用時にセンサの視野全体が注射デバイスの表面領域に向けられるように、センサの視野がシールドによって制約または制限されるためである。これは、上記の態様に記載のように注射デバイスのうち注射デバイスの表面領域の外側に位置する部分から反射されるあらゆる周囲光が、センサによって生成される信号に影響することができないようにする。
【０００８】
センサの視野内には、レンズを設けなくてもよい。言い換えれば、補足デバイスは、センサの視野内の物体（たとえば、注射デバイス）とセンサとの間に、レンズのない経路を備えることができる。たとえば、補足デバイスは、補足デバイスが注射デバイスに取り付けられたとき、注射デバイスの表面領域（すなわち、注射デバイスと補足デバイスが互いに連結されたときに注射デバイスのうちセンサの視野内に位置する領域）とセンサとの間に、レンズのない経路を備えることができる。有利には、これにより、補足デバイスが簡略化され、それによって補足デバイスをより安価に製造できるようにしながら、同時にその信頼性を改善する。
【０００９】
センサの視野内には、屈折力（ｏｐｔｉｃａｌ  ｐｏｗｅｒ）を有する構成要素を設けなくてもよい。言い換えれば、センサの視野内のすべての透明の構成要素は、ゼロの屈折力を有することができる。さらに言い換えれば、補足デバイスは、センサの視野とセンサとの間に、屈折力を有するいかなる構成要素も有していなくてもよい。たとえば、補足デバイスは、補足デバイスが注射デバイスに取り付けられたとき、注射デバイスの表面領域（すなわち、注射デバイスと補足デバイスが互いに連結されたときに注射デバイスのうちセンサの視野内に位置する領域）とセンサとの間に、屈折力を有するいかなる構成要素も有していなくてもよい。
【００１０】
補足デバイスは、ハウジングをさらに含むことができる。ハウジングは、補足デバイスの他の構成要素に対する保護を提供することができる。ハウジングは、少なくとも１つの透明部分を含むことができる。センサの視野内に、透明部分を配置することができる。使用時に、注射デバイスの表面領域とセンサとの間に位置するすべての透明の構成要素は、ゼロの屈折力を有することができる。これは、補足デバイスの製造コストを過度に増大させることなく、センサを汚れから保護することができるようにする。
【００１１】
シールドは、光源とセンサとの間に直接位置することができる。これは、光源からの光がセンサに直接入射することができないようにする。
【００１２】
シールドによって画成される開口部が、センサの反対側に位置することができ、この開口部は、センサの視野を制約または制限するように構成することができる。開口部は、センサの視野の中心と実質的に心合わせされた中心を有することができる。
【００１３】
シールドは、開口部を画成する部材を含むことができる。この部材は、実質的に切頭体状とすることができ、開口部は、切頭体のピークに形成することができる。別法として、開口部は、シールドの２つの側壁によって画成することができる。
【００１４】
光源は、シールドの周りに配置された複数のＬＥＤを含むことができ、または光源は、互いに隣接して実質的に直線に配置された複数のＬＥＤを含むことができる。前記複数のＬＥＤ内のＬＥＤは各々、異なる波長の光を放出するように構成することができる。
【００１５】
プロセッサは、ＬＥＤの各々にそれぞれの露出時間にわたって光を放出させるように構成することができる。これを使用して、ＬＥＤが使用の際にオンに切り替えられる時間の長さを低減させ、それによって補足デバイスの電力消費を低減させて電池寿命を増大させることができる。
【００１６】
複数のＬＥＤは、それぞれの波長の光を順次放出するように、プロセッサによって制御することができる。
【００１７】
補足デバイスは、使用時に注射デバイスから排出された薬剤の用量に関する情報を記録するように構成することができる。
【００１８】
補足デバイスは、補足デバイスが注射デバイスの投薬量窓（ｄｏｓａｇｅ  ｗｉｎｄｏｗ）を塞ぐように、使用時に注射デバイスに取り付けることができる。
【００１９】
補足デバイスは、投薬量窓内に表示されたものを示す情報を集める少なくとも１つの光センサをさらに収容することができる。
【図面の簡単な説明】
【００２０】
【図１】例示的な注射デバイスの概略図である。
【図２】図１の注射デバイスの端部の拡大図である。
【図３】本発明の一実施形態による補足デバイスの概略図である。
【図４】図３の補足デバイスの概略内部図である。
【図５】２次光センサユニットの概略横断面図である。
【図５ａ】図５のシールドの一部の概略横断面図である。
【図５ｂ】別の実施形態によるシールドの一部の概略横断面図である。
【図５ｃ】さらなる実施形態によるシールドの一部の概略横断面図である。
【図６】図５の２次光センサユニットの下面の概略図である。
【図７】図３および図４の補足デバイスによって決定することができる第４および第５の値のグラフである。
【発明を実施するための形態】
【００２１】
以下、本発明の実施形態について、注射デバイスによってダイヤル設定された用量の量または投薬された用量の量を決定する補足デバイスの点から説明する。そのような補足デバイスは、そのような決定を行う光学式文字認識（ＯＣＲ）機能を備えることができる。しかし本発明は、そのような用途に限定されるものではなく、他の種類の補足デバイス、たとえば注射デバイスの数字スリーブ（ｎｕｍｂｅｒ  ｓｌｅｅｖｅ）上に示されるより大きい形式でダイヤル設定された用量の量を表示するだけの補足デバイスでも、等しく導入することができる。
【００２２】
注射デバイスは、たとえばペン状の注射デバイスとすることができる。この種のデバイスは、使用者または患者が薬剤の用量を投与する自己治療の環境でよく知られている。ペン状の注射デバイスからは、再利用可能および使い捨ての変形形態が知られている。これらの種類の注射デバイスは、典型的には、使用の際に手で保持される。ペン状の注射デバイスは、使用者によって、たとえばポケット、財布のような小箱などに入れて持ち運ぶことができる。
【００２３】
本発明による補足デバイスは、注射デバイスに取り付けられるように構成される。使用の際、補足デバイスが取り付けられた注射デバイスは、手で保持される。
【００２４】
注射デバイスに取り付けられたとき、補足デバイスは、注射デバイスを部分的に覆うことができる。補足デバイスは、注射デバイスのうち注射デバイスの用量表示を含む部分を覆うことができる。
【００２５】
補足デバイスは、使用時に補足デバイスが取り付けられた注射デバイスから投与された用量に関する情報を記録するようにさらに構成することができ、または言い換えれば、補足デバイスは、注射デバイスから排出された薬剤の量を示す情報を記録するように構成することができる。
【００２６】
図１は、注射デバイス１０の分解図であり、注射デバイス１０は、たとえばＳａｎｏｆｉによって販売されているＳｏｌｏｓｔａｒ（商標）という注射ペンとすることができる。
【００２７】
図１の注射デバイス１０は、充填済み使い捨て注射ペンであり、ハウジング１２を含み、インスリン容器１４を収容し、インスリン容器１４に針１６を取り付けることができる。針１６は、内側ニードルキャップ１８および外側ニードルキャップ２０によって保護され、外側ニードルキャップ２０は、キャップ２２によって覆うことができる。注射デバイス１０から排出すべきインスリン用量は、投薬量ノブ２４を回すことによって選択することができる（この動作を、インスリン用量のダイヤル設定と呼ぶことができる）。選択用量（ダイヤル設定用量）を示す数字２６を含むマーカが、投薬量窓２８を介して、たとえば国際単位（ＩＵ）の倍数で表示される。投薬量窓２８内に表示されるダイヤル設定用量の一例は、図１に示すように、３０ＩＵとすることができる。
【００２８】
投薬量窓２８内に表示される数字２６は、ハウジング１２内に収容されたスリーブ（数字スリーブ１７と呼ぶ）上に印刷されており、スリーブは、インスリン容器１４の内側のピストンと機械的に相互作用する。患者の皮膚の中へ針１６が挿入され、注射ボタン３０が押されると、表示窓２８内に表示されたダイヤル設定量に対応するインスリンの量が、注射デバイス１０から排出される。注射中、インスリンが注射デバイス１０を離れるにつれて、数字スリーブ１７が回転する。これにより、まだ投薬されていないインスリンのダイヤル設定量に従って、投薬量窓２８内に表示される数字２６が変化する。言い換えれば、注射中、投薬量窓２８と連続して位置合わせする数字２６はカウントダウンされる。
【００２９】
図２は、前段落の注射中に１７ＩＵのインスリンが注射デバイス１０から送達された後の投薬量窓２８を示す。
【００３０】
図３は、図１に示すような注射デバイスに解放可能に取り付けることができる補足デバイス３４の概略図である。補足デバイス３４は、注射デバイス１０のハウジング１２を取り囲む嵌合ユニット、連結ユニット、またはコネクタ３７を備えるハウジング３６を含む。具体的には、コネクタ３７は、注射デバイス１０のハウジング１２上へ、デバイス３４をハウジング１２から後に取り外すことができるように、スナップ嵌めされるように構成することができる。しかし、コネクタ３７はスナップ嵌めの種類である必要はなく、別法として、他の配置が、補足デバイス３４を注射デバイスに連結するのに適していることもある。
【００３１】
注射デバイス１０に連結されたとき、補足デバイス３４は、投薬量窓２８を塞ぐ（図４に示す）。補足デバイス３４は、注射デバイス１０から情報を集める少なくとも１つの光センサを収容する。具体的には、光センサは、投薬量窓２８内に表示されたものを示す情報を集めさせられる。次いで、この集められた情報を処理して、用量履歴データベース（ｄｏｓｅ  ｈｉｓｔｏｒｙ  ｄａｔａｂａｓｅ）を生成することが可能である。そのような用量履歴データベースは、インスリン用量が投与された様々な時間および各用量で投与されたインスリンの量に関する情報を収容する記録を含むことができる。集められた情報はまた、投薬量窓２８と位置合わせされた数字２６をより大きい形式で表示する目的で、たとえば数字スリーブ１７上に設けられた数字より大きい数字を表示ユニット上に表示することによって、処理することができる。これにより、ダイヤル設定された用量の量、または注射の場合、まだ送達されていないダイヤル設定用量の量の可読性が改善される。
【００３２】
図４は、注射デバイス１０に連結された状態の補足デバイス３４の内部概略図である。
【００３３】
補足デバイス３４のハウジング３６内には、様々な構成要素が位置し、システムバス３５によってともに連結される。１つのそのような構成要素は、プロセッサ４０を含む。プログラムメモリ４２および主メモリ４４も、システムバス３５に連結される。プロセッサ４０は、プログラムメモリ４２内に記憶されたプログラムコード（たとえば、ソフトウェアまたはファームウェア）を実行し、主メモリ４４を使用して、中間結果を記憶する。補足デバイス３４はまた、前述の用量履歴データベースを記憶する補足メモリ４３を含む。プログラムメモリ４２は、たとえば、読取り専用メモリなどの不揮発性メモリとすることができる。主メモリ４４は、たとえば、ランダムアクセスメモリ、ＤＲＡＭ、またはＳＤＲＡＭなどの揮発性メモリとすることができ、補足メモリ４３は、たとえば、フラッシュメモリもしくはＥＥＰＲＯＭとすることができ、またはＵＳＢ型接続などのインターフェースを介してシステムバス３５に連結されたメモリカードを含むことができる。
【００３４】
やはりシステムバス３５に連結された１次光センサユニット４６を使用して、投薬量窓２８内に表示されたものを示す情報を収容する信号を生成する。プロセッサ４０は、これらの信号を使用して、送達用量を決定し、用量履歴データベースを生成することができる。プロセッサ４０は、光学式文字認識アプリケーションを実行し、１次光センサユニット４６によって送られた信号から、どの数字２６が投薬量窓２８と位置合わせされているかを決定することによって、これを実現することができる。そのような情報に基づいて、プロセッサ４０は次いで、どれだけのインスリンがダイヤル設定されたか、または注射の場合、まだ送達されていない（もしくは注射中にすでに送達された）インスリンのダイヤル設定量を決定する。
【００３５】
システムバス３５に連結することができる他の構成要素は、照明ユニット４７、表示ユニット３８、および入力デバイス４８を含む。そのような照明ユニット４７は、１つまたはそれ以上のＬＥＤを含むことができ、投薬量窓２８内に表示される情報を照明するように、プロセッサ４０によって制御することができる。入力デバイス４８（たとえば、キーパッド）は、補足デバイス３４と対話するために、使用者によって利用される。たとえば、そのような入力デバイス４８を使用して、表示ユニット３８上に表示された１つまたはそれ以上の選択肢を選択することができる。いくつかの実施形態では、表示ユニット３８は、タッチスクリーン機能を備えることができ、したがって出力デバイスと入力デバイス４８の両方として機能することが有効になる。
【００３６】
電源５０（たとえば、電池）は、補足デバイス３４の様々な構成要素に電力供給するためのものである。
【００３７】
いくつかの実施形態では、１次光センサユニット４６は、カメラを含むことができ、プロセッサ４０は、表示ユニット３８に、カメラの視野内に見られる数字スリーブ１７を表す情報、たとえば画像を示させることができる。
【００３８】
提供される特徴の特定の組合せにかかわらず、補足デバイス３４は、システムバス３５に連結された２次光センサユニット５６をさらに含む。プロセッサ４０は、２次光センサユニット５６を使用して、注射デバイス１０上に位置する表面部分５７の特徴を決定する。表面部分５７は、たとえば、ラベルの一部または注射デバイス１０の外側ケーシングの一部を構成することができる。したがって表面部分５７は、注射デバイス１０上へ固定、接着、もしくは印刷することができ、または注射デバイス１０の外側ケーシングの一体部材を含むことができる。これは、異なる特性を有する注射デバイス１０が異なる種類の表面部分５７を備えることができるため、有用である。具体的には、異なるタイプの薬剤（たとえば、異なるタイプのインスリン）を収容する注射デバイス１０は、異なる色の付いた表面部分５７を有することができる。したがって、補足デバイス３４は、その表面部分５７または表面部分５７の一部、たとえばラベルのうちブランド情報などの注射デバイス１０の詳細を含む部分の特徴を分析することによって、注射デバイス１０が収容する薬剤のタイプを決定することが可能である。
【００３９】
以下により詳細に説明するように、プロセッサ４０は、２次光センサユニット５６に表面部分５７を異なる波長の光で照明させる。２次光センサユニット５６は、表面部分５７によって反射される光の強度を示すそれぞれの各波長の信号を生成する。次いで、これらの信号は、プロセッサ４０によって、注射デバイス１０の特性を決定するために使用される。これは、プロセッサ４０が表面部分５７の反射特徴を１つまたはそれ以上の記録と比較することによって有効になり、各記録は、注射デバイスの異なる特性をそれぞれの反射応答と関連付ける。異なる色の付いた表面部分５７は、異なる波長のスペクトルにおいて異なる量の光を反射する。したがって、特定の色を有する表面部分５７の反射特徴を決定することによって、前述の記録の１つにおいてその色に関連付けられた特性を決定することができる。１つのそのような特性の一例は、注射デバイスのタイプまたは薬剤のタイプとすることができる。
【００４０】
前述のように、本発明の一実装形態は、たとえば医療デバイスが収容する医薬品の種類に応じて、異なる色の付いた表面部分５７を有する医療デバイスを区別することである。別法として、表面部分５７は、それぞれのデバイスが収容するインスリンのタイプに応じて異なる色を付けることもできる。
【００４１】
たとえば、短時間作用型のインスリンを収容する注射デバイス１０は、第１の色の付いた、たとえば赤色の付いた表面部分５７を備えることができ、長時間作用型のインスリンを収容する注射デバイス１０は、第２の色の付いた、たとえば青色の付いた表面部分５７を備えることができる。特定の注射デバイス１０内に収容されたインスリンのタイプを決定するために、短時間作用型のインスリンを第１の色、この例では赤色の反射特徴に関連付ける第１の記録、および長時間作用型のインスリンを第２の色、この例では青色の反射特徴に関連付ける第２の記録に、プロセッサ４０によってアクセスすることができる。より具体的には、特定の注射デバイス１０の表面部分５７の反射特徴が、上記の記録内の反射特徴と比較される。これにより、プロセッサ４０は、表面部分５７の色に関連付けられたインスリンタイプを決定することが有効になる。たとえば、表面部分５７が青色である場合、プロセッサ４０は、注射デバイス１０が長時間作用型のインスリンを収容すると決定する。
【００４２】
他のタイプのインスリンまたは他のタイプの薬剤を収容する注射デバイスは、異なる色の付いた表面部分を備えることができることが理解されよう。続いて前段落の例から、そのような色は、赤色または青色以外にするべきである。様々な表面部分の色の反射特徴をそれぞれのタイプのインスリンまたは他の薬剤に関連付ける対応する記録を提供して、プロセッサが、その表面部分（またはその一部）の反射特徴を分析する際に、注射デバイスによって収容される物質を決定することを有効にすることができる。
【００４３】
２次光センサユニット５６の詳細について、図５を参照しながらより詳細に次に説明する。
【００４４】
２次光センサユニット５６は、使用時に注射デバイスの表面部分５７を照明するＬＥＤなどの複数の光源５８を含む。ＬＥＤからの光は、補足デバイス３４から退出し、表面部分５７に入射する。各光源５８は、異なる波長の光を放出するように構成することができる。たとえば、図５の第１、第２、および第３の光源５８ａ、５８ｂ、５８ｃは、それぞれ第１、第２、および第３の波長λ１、λ２、λ３の光を放出するように構成される。しかし、代わりに複数の光源群を設けることもでき、各群内の光源は、同じ波長の光を放出するように構成される。
【００４５】
第１の光源５８ａによって放出される第１の波長λ１の光は、赤色、青色、または緑色とすることができる。第２の光源５８ｂによって放出される第２の波長λ２の光は、赤色、青色、または緑色のうちの別の色とすることができる。第３の光源５８ｃによって放出される第３の波長λ３の光は、赤色、青色、または緑色のうちの残りの色とすることができる。
【００４６】
いくつかの実施形態では、第１の波長λ１の光は赤色であり、第２の波長λ２の光は青色であり、第３の波長λ３の光は緑色である。本明細書全体にわたって、赤色光は約６２０ｎｍ〜７４０ｎｍの波長を有し、青色光は約４５０ｎｍ〜４９５ｎｍの波長を有し、緑色光は約５２０ｎｍ〜５７０ｎｍの波長を有する。
【００４７】
前段落に略述した第１〜第３の波長λ１、λ２、λ３の例は、単なる例示である。そのような波長は、互いに異なる限り、任意の値の波長とすることができる。加えて、光源５８の放出は、１つの個別の周波数とすることができるだけでなく、代わりに比較的狭い周波数帯域にわたって分散させることもでき、この帯域は、別の光源５８の帯域とある程度重複することができる。また、第１〜第３の波長λ１、λ２、λ３の１つまたはそれ以上は、可視スペクトル外とすることができ、たとえば赤外線または紫外線とすることもできる。
【００４８】
図５を再び参照すると、２次光センサユニット５６は、センサ出力を生成するセンサ６０をさらに含む。そのようなセンサ出力は、表面部分５７から反射される異なる波長の光のそれぞれの強度を示す。たとえば、特定の波長の反射光がセンサ６０に入射する露出時間に続いて、センサ６０は、その特定の露出時間中にセンサ６０に当たるその特定の波長の反射光の強度を示す信号を生成する。使用時に、異なる波長の光が、それぞれの露出時間にわたってセンサ６０に入射させられる。センサ６０は、それぞれの露出時間中にセンサ６０に当たる特定の各波長の反射光の強度を示す信号を生成する。
【００４９】
図５の例では、プロセッサ４０は、第１〜第３の光源５８ａ〜５８ｃに、それぞれの露出時間ｔ１〜ｔ３にわたって第１〜第３の波長λ１〜λ３の光をそれぞれ放出させる。光源５８ａ〜５８ｃは、第１〜第３の波長λ１〜λ３の光を順次放出するように制御される。したがって、第１の波長λ１の反射光がセンサ６０に入射する第１の露出時間ｔ１に続いて、センサ６０は、第１の信号Ｓ１（次段落に記載）を生成する。第２の波長λ２の反射光がセンサ６０に入射する第２の露出時間ｔ２に続いて、センサ６０は、第２の信号Ｓ２を生成する。さらに、第３の波長λ３の光がセンサ６０に入射する第３の露出時間ｔ３に続いて、センサ６０は、第３の信号Ｓ３を生成する。
【００５０】
前段落に記載の第１の信号Ｓ１は、第１の露出時間ｔ１中にセンサ６０に入射する第１の波長λ１の反射光の強度を示す。同様に、第２の信号Ｓ２は、第２の露出時間ｔ２中にセンサ６０に入射する第２の波長λ２の反射光の強度を示す。第３の信号Ｓ３は、第３の露出時間ｔ３中にセンサ６０に入射する第３の波長λ３の反射光の強度を示す。
【００５１】
補足デバイス３４は、表面部分５７（または少なくとも表面部分５７のうち光がそこからセンサ６０上へ反射する部分）が中間色（たとえば、灰色）である場合、異なる波長の光を検出したことに応答してセンサ６０によって生成されるそれぞれの信号が実質的に類似するように較正される。より具体的には、そのような状況で、センサ６０によって生成されるそれぞれの信号は実質的に類似しており、これらの信号は、それぞれの露出時間中にセンサ６０に当たる特定の各波長の反射光の強度を示す。
【００５２】
図５の例では、補足デバイス３４は、表面部分５７（または少なくとも表面部分５７のうち光がそこからセンサ６０上へ反射する部分）が中間色（たとえば、灰色）である場合、使用の際にセンサ６０によって生成される第１〜第３の信号Ｓ１〜Ｓ３が実質的に類似するように構成される。そのような信号Ｓ１〜Ｓ３は、第１〜第３の露出時間ｔ１〜ｔ３中にセンサ６０に当たる第１〜第３のそれぞれの波長λ１〜λ３の反射光の強度が実質的に類似していることを示す場合、実質的に類似していると見なされる。
【００５３】
このように実行するように補足デバイス３４を較正することは、それぞれの波長の光の露出時間（図５の例では、露出時間ｔ１〜ｔ３）の１つまたはそれ以上の持続時間を変更することを伴う。較正された露出時間のそれぞれの持続時間は、補足デバイス３４によって、たとえばプログラムメモリ４２内に記憶される。補足デバイス３４は、異なる波長の光のそれぞれの露出時間にわたって使用されるとき、これらの較正された露出時間の持続時間を利用する。有利には、補足デバイス３４をこのように較正することで、使用の際に光源５８が起動される総時間量が最小になる。これにより、補足デバイス３４の電力消費が低減され、それによって電池寿命が長くなる。
【００５４】
図５を再び参照すると、補足デバイス３４内の２次光センサユニット５６は、遮蔽版またはバッフルと呼ぶこともできるシールド６２をさらに備える。このシールド６２は、光源５８によって放出される波長の光を通さない。たとえば、図５で、シールド６２は、少なくとも第１、第２、および第３の波長λ１、λ２、λ３の光を通さない。
【００５５】
シールド６２は、光源５８によって放出される光がセンサ６０に直接入射するのを防止する。シールド６２によって画成される開口部６５が、センサ６０の視野内に位置する。開口部６５は、以下でより詳細に論じるように、センサ６０の視野を制約または制限する。センサ６０の視野は、開口部６５によって画成される。センサ６０の視野（開口部６５によって画成される）内で表面部分５７から反射された光は、補足デバイス３４に入り、開口部６５を通ってセンサに入射する。いくつかの実施形態では、前記光は、開口部６５を通って補足デバイスに入ることができる。
【００５６】
開口部６５の中心は、センサ６０の視野の中心と実質的に心合わせされる。開口部６５は、シールド６２の中空の切頭体状の阻止部材６４のピークに形成される。シールド６２の中空の切頭体状の阻止部材６４は、一定の横断面幅をもたない。図５に示すように、中空の切頭体状の阻止部材６４の内径は、センサ６０の方へ向かって増大する。図５ａを特に参照すると、切頭体状の阻止部材６４は、一定の横断面幅を有する頸状部６４ａと、頸状部６４ａから先細りしてセンサ６０の方へ向かって幅が増大するチャンバ６４ｂとを含む。
【００５７】
使用時に、注射デバイス１０の表面部分５７は、図４および図５に示すように、開口部６５とセンサ６０の両方と位置合わせさせられる。これは、コネクタ３７（図３参照）が注射デバイス１０に嵌合（連結）されたときに行われる。そのような位置合わせは、使用時に表面部分５７（または表面部分の少なくとも一区域）がセンサ６０の視野内に位置するようにする。
【００５８】
具体的には、シールド６２の中空の切頭体状の阻止部材６４によって画成される開口部６５は、使用時に表面部分５７の関連区域のみがセンサ６０の視野内に位置するようにする。さらに、シールド６２の中空の切頭体状の阻止部材６４によって画成される開口部６５が表面部分５７の関連区域に関連して配置されるため、これは、センサ６０と表面部分５７の関連区域との間の経路内でいかなるレンズも使用することなく実現される。言い換えれば、補足デバイス３４は、注射デバイス１０の表面部分５７とセンサ６０との間にレンズのない経路を備える。したがって、補足デバイス３４は、注射デバイス１０の表面部分５７とセンサ６０との間に、屈折力を有するいかなる構成要素も有していない。言い換えれば、補足デバイス３４は、注射デバイス１０の表面部分５７とセンサ６０との間に、光を集束させることが可能ないかなる構成要素も有していない。さらに言い換えれば、注射デバイス１０の表面部分５７とセンサ６０との間のすべての透明の構成要素は、ゼロの屈折力（集束能力）を有する。ゼロの屈折力は、光の収束または発散を生じさせない。そのような透明の構成要素は図示しないが、実際には、補足デバイス３４の内部構成要素を汚染材料の侵入から保護するために、透明の平面の保護窓を含むことができる。
【００５９】
補足デバイス３４は、表面部分５７がセンサ６０から離れる距離が比較的小さくなるように注射ペン１に係合するように構成される。さらに、この嵌合配置は、補足デバイス３４が注射ペン１に係合されるときにこの距離が実質的に一定になるような配置である。
【００６０】
表面部分のうちセンサの視野内に位置する領域は、開口部６５の形状および寸法、センサ６０に対する開口部６５の位置、センサ６０の能動部材の寸法および形状、ならびに表面部分５７と開口部６５との間の距離を含む複数の要因によって画成される。様々な特性は、補足デバイス３４が注射ペン１に適切に係合されたとき、センサ６０の視野内に約０．５平方ｍｍの表面部分５７の領域を提供するように構成される。様々な特性は、補足デバイス３４の関連部材と注射デバイス１との間の離隔距離がわずかに増大または減少した場合でも、視野内に位置する表面部分５７の領域が常に許容限度内に位置するように構成される。
【００６１】
光源５８およびレンズ６６は、わずかな所期の離隔距離範囲内で、補足デバイス３４の関連部材と注射デバイス１との間のすべての離隔距離にわたって、センサの視野内より大きい表面部分５７の領域を照明するように構成することができる。
【００６２】
光源５８は、センサ６０および開口部６５と位置合わせされない。これは、光源５８がセンサ６０の視野内に位置しないようにする。したがって、プロセッサ４０が光源５８に光を放出させるとき、光源５８によって放出される光のうち、表面部分５７のうちセンサ６０の視野内に位置する区域から反射される光のみが検出される。より具体的には、使用時に、センサ６０の視野内で表面部分５７から反射される光は、開口部６５を通ってからセンサ６０に入射する。
【００６３】
これにより、センサ６０の視野内で表面部分５７から反射されなかった光（たとえば、周囲源から）は、センサ６０によって生成される信号に影響することができないため、補足デバイス３４の信頼性が改善される。それによって、センサ６０の視野内の表面部分５７の反射応答分析が改善される。これにより、特定の反射応答に関連付けられた特性が不正確に特定される可能性が低減される。たとえば、センサ６０の視野内の表面部分５７の色を決定し、次いで、特定の色をそれぞれの注射デバイス特性、たとえばインスリンのタイプに関連付ける補足デバイス３４のメモリ内に事前に記憶された情報と、この色を比較することができる。この例では、補足デバイス３４の色検出／決定の信頼性を改善することによって、分析下で表面部分５７の決定された色に誤ったタイプのインスリンが関連付けられる可能性が低くなる。これにより、補足デバイス３４が取り付けられた注射デバイスが、使用者が自身に注射しようと考えるものとは異なるタイプのインスリンを収容すると決定されたときに、たとえば、補足デバイス３４が警報音を鳴らし、または視覚的な警告を示す場合、潜在的に人命を救助することができ；それによって、処方されたインスリンのタイプを示す情報が、補足デバイス３４のメモリ内に記憶される。
【００６４】
シールド６２の構造について、図５ａを参照しながらやや詳細に次に説明する。図５ａから、シールド６２のうち開口部６５を画成する部分が、チャンバ６４ｂのベースに位置する第１の端部６４ｃと、頸状部６４ａの反対側の端部に位置する第２の端部６４ｄとの間に延びることが明らかである。第２の端部６４ｄは、第１の端部６４ｃよりセンサ６０から遠い。また、第１の端部６４ｃの対向する端部は、第２の端部６４ｄの対向する端部より遠くに離れて変位されていることが明らかである。より具体的には、シールド６２のうち開口部６５を画成する部分は、実質的に切頭体の形状であり、開口部６５は、切頭体のピークに位置する。
【００６５】
いくつかの実施形態では、切頭体状部分の外面は、実質的に円を画成する。そのような実施形態では、切頭体状部分は、実質的に円錐形の切頭体の形状である。他の実施形態では、切頭体状部分の外面は、実質的に多角形を画成する。そのような実施形態では、切頭体状部分は、実質的にたとえば正方形の切頭体または角錐の切頭体の形状とすることができる。
【００６６】
しかし、中空の切頭体状の阻止部材６４がシールド６２の一部として使用される必要はない。図５ｂでは、シールド６２の部材６４のうち開口部６５を画成する部分の外面は、実質的に正方形の形状である。
【００６７】
さらに、シールド６２がチャンバ６４ｂおよび頸状部６４ａなどの異なる横断面幅の２つの部分を有する必要はない。たとえば図５ｃを見ると、シールド６２によって画成される開口部６５は、代わりに、その長さに沿って一定の横断面幅を有し、２つの側壁６４ｅおよび６４ｆによって画成される体積内へ開くことができる。
【００６８】
図６は、それぞれの光源（たとえば、５８ａ、５８ｂ、および５８ｃで示すもの）を、互いに隣接してたとえば一列に配置することができることを示す。しかし、それぞれの光源は、中空の切頭体状の阻止部材６４の周りに分散させることができる。たとえば、１つまたはそれ以上の光源は、図６でシールド６２の左側に位置することができ、１つまたはそれ以上の他の光源は、図６でシールド６２の右側に位置することができる。また、いくつかの実施形態では、光源は、シールド６２の周りで輪、正方形、長方形、または三角形に配置することができる。
【００６９】
光源５８によって放出される光を表面部分５７またはそのうちセンサ６０の視野内の区域上へ集束させるために、１つまたはそれ以上のレンズ６６を設けることができる。さらに、表面部分５７によって反射される光をセンサ６０上へ集束させるために、１つまたはそれ以上のレンズ（図示せず）を設けることができるが、これも必須ではなく、有利には、そのようなレンズは存在しない。有利には、これにより、表面部分５７から反射されなかった光は、センサ６０によって生成される信号に影響することができないため、補足デバイス３４によって実行することが可能な反射応答分析の信頼性が改善される。具体的には、補足デバイス３４は、使用時に、光源５８から放出されて表面部分５７によって反射される光のみがセンサ６０に入射することができるように構成される。
【００７０】
注射デバイス１０の特性を決定するために２次光センサユニット５６がプロセッサ４０によってどのように使用されるかについて、図５の例を特に参照して次に説明する。プロセッサ４０は、それぞれの較正された露出時間ｔ１、ｔ２、ｔ３にわたって、それぞれ第１、第２、および第３の波長λ１、λ２、λ３の光で表面部分５７を照明するように、第１、第２、および第３の光源５８ａ、５８ｂ、５８ｃを順次制御する。そのような照明の際、センサ６０は、それぞれ第１、第２、および第３の信号Ｓ１、Ｓ２、およびＳ３を生成する。これらの第１〜第３の信号Ｓ１〜Ｓ３は、それぞれの露出時間中にセンサ６０に入射する反射光の強度を示す（前述）。
【００７１】
プロセッサ４０は、第１〜第３の信号Ｓ１〜Ｓ３を使用して、第１〜第３のそれぞれの値Ａ〜Ｃを取得する。言い換えれば、プロセッサ４０は、第１〜第３の信号Ｓ１〜Ｓ３の各々に数値を割り当てる。第１〜第３の値Ａ〜Ｃのそれぞれの大きさは、特定の露出時間中にセンサ６０に入射する反射光の強度に応じて変化する第１〜第３のそれぞれの信号Ｓ１〜Ｓ３の特性に比例する。
【００７２】
たとえばセンサ６０がフォトダイオードである例では、フォトダイオードによって生成される出力電圧信号の大きさは、特定の露出時間中の入射光の強度に依存する。したがって、たとえば第１の波長λ１の光が露出時間ｔ１にわたってフォトダイオードに入射するとき、出力電圧信号Ｓ１の大きさが小さい場合、プロセッサ４０によって取得される対応する第１の値Ａも小さくなる。しかし、露出時間ｔ１中に第１の波長λ１の光の強度が増大されたために生成される出力電圧信号Ｓ１の大きさがより大きい場合、プロセッサ４０によって取得される第１の値Ａもより大きくなる。同じことが、フォトダイオードがそれぞれ第２および第３の波長λ２およびλ３の光で照明されたときに生成される第２および第３の出力電圧信号Ｓ２およびＳ３を使用して取得される第２および第３の値ＢおよびＣにも当てはまる。
【００７３】
第１〜第３の値Ａ〜Ｃは、単位面積当たりのパワー（Ｗ／ｍ２）を示すことができる。第１の値Ａは、第１の露出時間ｔ１中にセンサ６０に当たる第１の波長λ１の光の単位面積当たりのパワーを示すことができる。同様に、第２および第３の値ＢおよびＣは、第２および第３のそれぞれの露出時間ｔ２およびｔ３中にセンサ６０に当たる第２および第３のそれぞれの波長λ２およびλ３の光の単位面積当たりのパワーを示すことができる。しかし、第１〜第３の値Ａ〜Ｃが同じ数量を示すという条件で、第１〜第３の値Ａ〜Ｃは単位面積当たりのパワーを示さなくてもよく、代わりに別の数量を示すことができる。たとえば、第１〜第３の値Ａ〜Ｃは、それぞれの露出時間ｔ１〜ｔ３中にセンサ６０に入射する電磁エネルギー（ジュール）の総量を示すことができる。
【００７４】
プロセッサ４０は、第１および第２の値ＡおよびＢを使用して第４の値Ｄを提供する計算を実行する。プロセッサ４０は、この計算を実行するとき、第３の値Ｃを使用しない。Ｄの値を計算することは、関数ｆ（Ａ，Ｂ）の出力を決定することを含む。したがって、数学的にｆ（Ａ，Ｂ）＝Ｄであり、ｆ（Ａ，Ｂ）は、少なくとも、Ａが分子内にあり、Ｂが分母内にある除算を含むことができる。たとえば、Ｄの値を計算することは、少なくともＡ／ＢまたはＡ／（Ａ＋Ｂ）の値を決定することを伴うことができる。
【００７５】
プロセッサ４０はまた、第３の値Ｃを使用して第５の値Ｅを提供する別の計算を実行する。Ｅの値を計算することは、関数ｆ（Ｃ）の出力を決定することを含む。したがって、数学的にｆ（Ｃ）＝Ｅであり、ｆ（Ｃ）は、後に論じる１つまたはそれ以上の較正係数を含む。
【００７６】
第４および第５の値ＤおよびＥを決定した後、プロセッサ４０は、プロセッサ４０が分析している注射デバイス１０の特性を決定する。これは、プロセッサ４０が決定された第４および第５の値ＤおよびＥを記録リストと比較することによって有効にされる。これらの記録は、それぞれ、所定の第４および第５の値ＤおよびＥの異なる組合せと異なる情報を関連付ける。
【００７７】
特定の記録内の所定の第４および第５の値ＤおよびＥは、注射デバイス１０の表面部分５７（または少なくとも表面部分５７のうちセンサ６０の視野内に位置する部分）が特定の色である場合にプロセッサ４０が決定する値である。これが、注射デバイス１０に特定の色の表面部分５７を設けることで、補足デバイス３４が注射デバイス１０の特性を決定することをどのように有効にするかである。より具体的には、表面部分５７に特定の色を提供する結果、プロセッサ４０は、分析された表面部分５７がその特定の色であるときのみ決定される第４および第５の値ＤおよびＥの特定の組合せを決定する。プロセッサ４０によってアクセス可能な１つまたはそれ以上の記録とこれらの値を比較することで、プロセッサは、どの特定の特性がそれらの特定の第４および第５の値ＤおよびＥに関連付けられているかを決定することが有効になる。
【００７８】
実際には、注射デバイスの表面部分５７に特定の色を提供する結果、プロセッサ４０が特定の第４および第５の値ＤおよびＥを正確に決定することはできない。代わりに、そのような値は、補足デバイスアセンブリプロセスの製造公差、またその様々な構成要素、たとえばセンサ６０および光源５８の効率によって影響される精度範囲内でのみ決定することができる。したがって、前述の記録は、所定の範囲の第４および第５の値ＤおよびＥを特定の注射デバイス特性に関連付けることができる（正確な値を注射デバイス特性に関連付けるのではない）。
【００７９】
それぞれの記録内には、異なる注射デバイスタイプを示す情報を含むことができることが理解されよう。言い換えれば、異なる注射デバイスタイプを、所定の第４および第５の値ＤおよびＥ（またはそれらの範囲）の異なる組合せに関連付けることができる。この実装形態では、補足デバイス３４が注射デバイス１０のタイプを決定することを有効にするために、異なるタイプの注射デバイス１０は、異なる色の付いた表面部分５７を備えることができる。
【００８０】
また、それぞれの記録内には、異なる薬剤のタイプ（たとえば、異なるインスリンのタイプ）を示す情報を含むことができることが理解されよう。言い換えれば、異なる薬剤のタイプを、所定の第４および第５の値ＤおよびＥ（またはそれらの範囲）の異なる組合せに関連付けることができる。この実装形態では、補足デバイス３４が注射デバイス１０内に収容された薬剤のタイプを決定することを有効にするために、注射デバイス１０は、異なる色の付いた表面部分５７を備えることができる。
【００８１】
自身に注射する薬剤のタイプに関する情報は、前述の用量履歴データベース内に記憶することができる。また、補足デバイス３４は、注射デバイス１０が処方されたタイプの薬剤以外の薬剤を収容すると決定されたとき、使用者に警報するように構成することができる。そのような警報は、警報音を鳴らすことまたは表示ユニット上に視覚的に示すものを提示することを含むことができる。
【００８２】
図７は、上記のグラフである。垂直軸は、関数ｆ（Ａ，Ｂ）の出力である第４の値Ｄの可能な大きさを表す。水平軸は、関数ｆ（Ｃ）の出力である第５の値Ｅの可能な大きさを表す。異なる色の付いた表面部分５７が、異なる第４および第５の値ＤおよびＥに関連付けられるため、異なる色の付いた表面部分５７は、図７に示す空間内の異なる位置に関連付けられる。
【００８３】
記録に関する前述の議論では、それぞれの記録が、第４および第５の値ＤおよびＥの所定の範囲を特定の注射デバイス特性に関連付けることができることを述べた。これを、図７にグラフを表す。たとえば、特定の色の付いた表面部分５７に関連付けられた位置が、領域７０内にあると決定された場合、その表面部分５７を有する注射デバイス１０は、特定の特性を有すると決定される。しかし、特定の色の付いた表面部分５７に関連付けられた位置が、領域７２内にあると決定された場合、その表面部分５７を有する注射デバイス１０は、別の特性を有すると決定される。
【００８４】
図７に７０および７２と示す領域など、特定の特性に関連付けられた領域の形状は、任意の形状を画成することができる。たとえば、図７の領域７０、７２の１つまたはそれ以上は、たとえば正方形、長方形、多角形、円、または楕円形を画成することができる。図７の垂直軸と水平軸状の両方で０．９と１．０との間に延びる正方形を領域が画成する例を考慮されたい。この例では、Ｄ＝０．９〜１．０およびＥ＝０．９〜１．０の組合せが、短時間作用型のインスリンに関連付けられる。特定の表面部分５７のそれぞれの第４および第５の値ＤおよびＥが各々、０．９〜１．０の範囲内にあると決定された場合、その表面部分を有する注射デバイス１０は、短時間作用型のインスリンを収容すると決定される。
【００８５】
異なる補足デバイス３４が、同じ色の表面部分５７に対して実質的に類似の第４および第５の値ＤおよびＥを決定するように、補足デバイス３４のさらなる構成が必要とされる。グラフでは、これは、異なる補足デバイス３４が、同じ色の表面部分５７を図７内の実質的に類似の位置に関連付けられると決定するように、さらなる構成が必要とされることを意味する。
【００８６】
そのような構成がどのように実現されるかについて、次に説明する。補足デバイス３４は、表面部分５７が中間色（たとえば、灰色）である場合、プロセッサ４０が、第４および第５の値ＤおよびＥが所定の大きさを有すると決定するように構成される。少なくとも表面部分５７のうち光がそこからセンサ６０上へ反射する部分が中間色であるという条件で、同じことが行われる。
【００８７】
第４の値Ｄを決定するために使用される関数ｆ（Ａ，Ｂ）は、Ｄの可能な値が０〜１の範囲になるようにすることができる。この関数ｆ（Ａ，Ｂ）はまた、表面部分５７（具体的には、表面部分５７のうち光がそこからセンサ６０上へ反射する部分）が中間色（たとえば、灰色）である場合、Ｄの値が実質的に０．５であると決定されるようにすることができる。
【００８８】
中間色の付いた表面部分、たとえば特定の灰色の陰は、すべてのスペクトル範囲にわたって約４０％の反射率を有することができる。関数ｆ（Ａ，Ｂ）がＡ／（Ａ＋Ｂ）を含む上記の例では、表面部分５７がこの色である場合、ＡおよびＢの値は実質的に同じである。これは、第１〜第３の値Ａ〜Ｃのそれぞれの大きさが、特定の露出時間中にセンサ６０に入射する反射光の強度に応じて変化する第１〜第３のそれぞれの信号Ｓ１〜Ｓ３の特性に比例するためである（前述）。したがって、表面部分５７の反射率が第１〜第３の波長λ１〜λ３の光に対して約４０％である場合、Ａ〜Ｃのそれぞれの値は実質的に類似する。これは、Ａ／（Ａ＋Ｂ）を計算することによって決定される第４の値Ｄが実質的に０．５になるようにする。有利には、関数ｆ（Ａ，Ｂ）がＡ／（Ａ＋Ｂ）を含む場合、これにより、第１の波長λ１の光を放出して第１の値Ａを生成する第１の光源５８ａによって与えられる温度ドリフトの影響が最小になる。これは、第１の光源５８ａが赤色ＬＥＤである場合、赤色ＬＥＤは概して青色および緑色などの色のＬＥＤより温度ドリフトの影響を受けやすいため、特に有用となることができる。
【００８９】
第５の値Ｅを決定するために使用される関数ｆ（Ｃ）は、Ｅの可能な値も０〜１の範囲となるようにすることができる。すべてのスペクトル範囲にわたって約４０％の反射率を有する中間色の付いた表面の場合、第３の値Ｃを取得するために使用される第３の波長λ３の光の反射率は、表面部分５７（または少なくとも表面部分５７のうち光がそこからセンサ６０上へ反射する部分）がこの色である場合、４０％である。そのような色は、前段落に記載の特定の灰色の陰とすることができる。関数ｆ（Ｃ）内の較正係数は、この状況で関数ｆ（Ｃ）から出力されるＥの値が実質的に０．４になるように設定することができる。これらの較正係数は、補足デバイス３４によって、たとえばプログラムメモリ４２内に記憶される。
【００９０】
前の２つの段落に従って補足デバイス３４が較正されるシナリオを考慮されたい。そのような較正された補足デバイス３４は、すべてのスペクトル範囲にわたって反射率が約４０％の灰色の陰である表面部分５７を有する注射デバイス１０に連結されたとき、第４および第５の値ＤおよびＥが図７に６８で示す較正位置に関連付けられた値であると決定する。
【００９１】
上記の点から、表面部分５７の反射特徴に基づいて注射デバイス１０の特性を決定する際、補足デバイス３４はまた、２つの色パラメータＤ１およびＤ２と１つの輝度パラメータＥとを含む３次元システムを利用することもできることが理解されよう。２つの色パラメータＤ１およびＤ２は、（Ａ、Ｂ、Ｃ）の関数として計算される。たとえば、Ｄ１＝Ａ／（Ａ＋Ｂ＋Ｃ）およびＤ２＝Ｂ／（Ａ＋Ｂ＋Ｃ）である。輝度パラメータＥは、Ｃの関数として上記と同様に計算され、Ｅ＝ｆ（Ｃ）である。
【００９２】
２次光センサユニット５６の前述の動作は、プログラムメモリ４２内に記憶された動作アプリケーション内に収容された命令に従ってプロセッサ４０が動作することによって実現される。較正された露出時間（たとえば、ｔ１〜ｔ３）および前述の較正係数などの関連する較正情報は、動作アプリケーション内に収容された命令に従ってプロセッサ４０が動作することによってアクセスすることができる。
【００９３】
前述の実施形態は、単なる例示であり、本発明の範囲を限定するものではないことが理解されよう。他の変形形態および修正形態は、本出願を読めば当業者には明らかになるであろう。
【００９４】
たとえば、いくつかの実施形態では、２次光センサユニット５６は、複数の異なるセンサ６０（たとえば、複数のフォトダイオード）を含む。しかし、そのような各センサは、特定の波長（または波長範囲）の光のみがセンサによって検出されるように入射光を濾波するように構成されたフィルタをさらに備える。そのような実施形態では、２次光センサユニット５６は、第１の波長λ１の反射光を検出するように構成された１つまたはそれ以上のセンサを含む。２次光センサユニット５６はまた、第２の波長λ２の反射光を検出するように構成された１つまたはそれ以上のセンサを含む。２次光センサユニット５６は、第３の波長λ３の光を検出するように構成された１つまたはそれ以上のセンサをさらに含む。この実施形態では、プロセッサ４０は、使用の際、第１〜第３の光源５８ａ〜５８ｃ（またはこれらの群）に、第１〜第３の波長λ１〜λ３の光を表面部分５７上へ同時に放出させる。これは、前述の信号（すなわち、第１〜第３の信号Ｓ１〜Ｓ３）に類似の第１〜第３の信号が同時に生成されるようにする。
【００９５】
前段落に略述した実施形態では、異なる波長の光に対するそれぞれの露出時間が同時に経過するが、そのような露出時間は、持続時間の異なるものとすることができる。これは、較正目的のためである。具体的には、これは、表面部分５７（または少なくとも表面部分５７のうち光がそこからセンサ上へ反射する部分）が中間色（たとえば、灰色）である場合、異なる波長の光を検出したことに応答してそれぞれのセンサによって生成される信号が実質的に類似するようにすることである。より具体的には、この状況で、それぞれの露出時間中のそれぞれの波長の反射光の強度を示すそれぞれのセンサによって生成される信号は、実質的に類似している。
【００９６】
２つ以上の光の波長の反射応答を使用して注射デバイスの特性を決定することについて説明してきたが、いくつかの他の実施形態では、単一の光の波長の反射応答を分析することによって特性を決定することができることが想定される。そのような決定を行うためにそのような分析中に収集されたデータをどのように処理することができるかは、当業者にはよく知られている。
【００９７】
最終的に、いくつかの実施形態では、補足デバイス３４が使用中であるとき、表面部分５７から反射される光は、補足デバイス３４の１つまたはそれ以上の反射面（たとえば、鏡）を介してセンサ６０上へ向けることができる。そのような実施形態では、表面部分５７は、使用時にセンサ６０の視野内に位置することができるが、センサ６０の見通し線内には位置しない。
【００９８】
最後に、本出願の開示は、本明細書に明示的もしくは暗示的に開示されるあらゆる新規な特徴もしくはあらゆる新規な特徴の組合せ、またはそのあらゆる一般化を含むことを理解されたい。本出願または本出願から導出されるあらゆる出願の手続中、あらゆるそのような特徴および／またはそのような特徴の組合せを包含するために、新しい請求項を構築することができる。
【図１】
0006368354.tif 000002
【図２】
0006368354.tif 000003
【図３】
0006368354.tif 000004
【図４】
0006368354.tif 000005
【図５】
0006368354.tif 000006
【図５ａ】
0006368354.tif 000007
【図５ｂ】
0006368354.tif 000008
【図５ｃ】
0006368354.tif 000009
【図６】
0006368354.tif 000010
【図７】
0006368354.tif 000011